(57)【要約】【課題】ユーザーの好みに合った表示パターンを操作性良く選択できる撮像装置を提供する。【解決手段】制御手段１９、２１は、第２の操作手段１３、１４がガイドラインＤ３、Ｄ５を表示しないという指示を受け付けた場合、表示切替釦１５が操作されることに応じて、ガイドラインＤ３、Ｄ５を表示しない表示パターンとガイドラインＤ３を表示する表示パターンとを少なくとも含む複数の表示パターンのうちいずれかになるよう液晶モニタ１１の表示パターンを順次切り替えるよう制御する一方、第２の操作手段１３、１４がガイドラインＤ３、Ｄ５を表示するという指示を受け付けた場合、表示切替釦１５が操作されることに応じて、ガイドラインＤ３、Ｄ５を表示する表示パターンのみを含む複数の表示パターンのうちいずれかになるよう液晶モニタ１１の表示パターンを順次切り替えるよう制御する。【選択図】図３
2008053890.tif 000002
【特許請求の範囲】
【請求項１】
被写体を撮像して画像データを生成する撮像手段と、
前記生成された画像データを表示する表示手段と、
各種情報及びガイドラインについての表示パターンの切り替えについて使用者の指示を受け付ける第１の操作手段と、
ガイドラインを表示するかどうかについて、前記表示手段に表示する設定画面を通じて使用者の指示を受け付ける第２の操作手段と、
前記第１の操作手段及び前記第２の操作手段で受け付けた使用者の指示に応じて、各種情報及びガイドラインを選択的に前記表示手段に表示するよう又は表示しないよう制御する制御手段と、を備え、
前記制御手段は、
前記第２の操作手段がガイドラインを表示しないという指示を受け付けた場合、前記第１の操作手段が操作されることに応じて、ガイドラインを表示しない表示パターンとガイドラインを表示する表示パターンとを少なくとも含む複数の表示パターンのうちいずれかになるよう前記表示手段の表示パターンを順次切り替えるよう制御する一方、
前記第２の操作手段がガイドラインを表示するという指示を受け付けた場合、前記第１の操作手段が操作されることに応じて、ガイドラインを表示する表示パターンのみを含む複数の表示パターンのうちいずれかになるよう前記表示手段の表示パターンを順次切り替えるよう制御する、
撮像装置。
【請求項２】
前記制御手段は、複数のガイドラインのパターンのうちいずれかを前記表示手段に表示するよう制御可能であり、
前記第２の操作手段は、前記複数のガイドラインのパターンのうちいずれを表示するかについても、使用者の指示を受け付ける、
請求項１に記載の撮像装置。
【請求項３】
被写体を撮像して画像データを生成する撮像手段と、
前記生成された画像データを表示する表示手段と、
各種情報及びガイドラインについての表示パターンの切り替えについて使用者の指示を受け付ける第１の操作手段と、
ガイドラインを表示するかどうかについて、前記表示手段に表示する設定画面を通じて使用者の指示を受け付ける第２の操作手段と、
前記第１の操作手段及び前記第２の操作手段で受け付けた使用者の指示に応じて、各種情報及びガイドラインを選択的に前記表示手段に表示するよう又は表示しないよう制御する制御手段と、を備え、
前記制御手段は、前記第１の操作手段が操作されることに応じて前記表示手段の表示パターンを順次切り替え、
前記第２の操作手段がガイドラインを表示しないという指示を受け付けた場合、前記第１の操作手段がＭ回（Ｍは整数）操作されることによって前記表示手段の表示パターンが元の表示パターンに戻るよう制御する一方、
前記第２の操作手段がガイドラインを表示するという指示を受け付けた場合、前記第１の操作手段がＮ回（ＮはＭより小さい整数）操作されることによって前記表示手段の表示パターンが元の表示パターンに戻るよう制御する、
撮像装置。
【発明の詳細な説明】
【技術分野】
【０００１】
本発明は、表示手段の表示パターンを切り替えることができるデジタルカメラ等の撮像装置に関する。
【背景技術】
【０００２】
デジタルスチルカメラ等の撮像装置の中には、撮像の際、スルー画像に重畳してガイドラインを表示する機能を有するものがある。この機能を使うと、ユーザーは撮像画像の構図を決めやすくなる。ところで、どのようなガイドラインを表示するか、又は表示しないかについて、ユーザーは、実際の撮像画像に応じて選択する必要がある。最適な表示パターンは実際の撮像画像に応じて変化するからである。しかし、近年ガイドライン等の表示パターンの種類は多くなる傾向にあるため、その中から最適な表示パターンを選択するのは手間がかかる。
【０００３】
そこで、特許文献１は、撮影モードが設定されると、その撮影モードに最適な補助線パターンが自動的に選択されてスーパーインポーズ表示されるカメラを開示している。これにより、ユーザーの手間をかけずに表示パターンの選択を可能としている。
【特許文献１】特開２００５−３２１８３２号公報
【発明の開示】
【発明が解決しようとする課題】
【０００４】
しかしながら、特許文献１に記載のカメラでは、撮影モードに基づいて補助線パターンを自動的に選択するため、実際の撮像画像に対して最適な又はユーザーの好みに合った補助線パターンを選択しているとは限らない。
【０００５】
そこで、本発明は、ユーザーの好みに合った表示パターンを操作性良く選択できる撮像装置を提供することを目的とする。
【課題を解決するための手段】
【０００６】
上記目的を達成するために、本発明の撮像装置は、被写体を撮像して画像データを生成する撮像手段と、生成された画像データを表示する表示手段と、各種情報及びガイドラインについての表示パターンの切り替えについて使用者の指示を受け付ける第１の操作手段と、ガイドラインを表示するかどうかについて、表示手段に表示する設定画面を通じて使用者の指示を受け付ける第２の操作手段と、第１の操作手段及び第２の操作手段で受け付けた使用者の指示に応じて、各種情報及びガイドラインを選択的に表示手段に表示するよう又は表示しないよう制御する制御手段と、を備え、制御手段は、第２の操作手段がガイドラインを表示しないという指示を受け付けた場合、第１の操作手段が操作されることに応じて、ガイドラインを表示しない表示パターンとガイドラインを表示する表示パターンとを少なくとも含む複数の表示パターンのうちいずれかになるよう表示手段の表示パターンを順次切り替えるよう制御する一方、第２の操作手段がガイドラインを表示するという指示を受け付けた場合、第１の操作手段が操作されることに応じて、ガイドラインを表示する表示パターンのみを含む複数の表示パターンのうちいずれかになるよう表示手段の表示パターンを順次切り替えるよう制御する。
【０００７】
これにより、ユーザーは、設定画面を通じてガイドライン表示を設定しないでも、第１の操作手段を操作するだけで、ガイドラインを表示する表示パターンを容易に選択できる。また、ユーザーは、設定画面を通じてガイドライン表示を設定した場合、第１の操作手段を押下することで切り替えられる表示パターンを、ガイドラインを表示する表示パターンに限定できるので、所望の表示パターンを容易に選択できる。
【０００８】
この場合、制御手段は、複数のガイドラインのパターンのうちいずれかを表示手段に表示するよう制御可能とし、第２の操作手段は、複数のガイドラインのパターンのうちいずれを表示するかについても、使用者の指示を受け付けるようにしてもよい。
【０００９】
これにより、ガイドラインの表示パターンのバリエーションを広げつつ、ユーザーは、簡単な操作で複数のガイドラインの表示パターンから好みのパターンを容易に選択できる。
【００１０】
また、制御手段は、第１の操作手段が操作されることに応じて表示手段の表示パターンを順次切り替え、第２の操作手段がガイドラインを表示しないという指示を受け付けた場合、第１の操作手段がＭ回（Ｍは整数）操作されることによって表示手段の表示パターンが元の表示パターンに戻るよう制御する一方、第２の操作手段がガイドラインを表示するという指示を受け付けた場合、第１の操作手段がＮ回（ＮはＭより小さい整数）操作されることによって表示手段の表示パターンが元の表示パターンに戻るよう制御するようにしてもよい。
【００１１】
これにより、予めユーザーがガイドラインを表示することを希望している場合は、第１の操作手段を少ない回数で操作することにより、全ての表示パターンを循環的に表示できる。
【発明の効果】
【００１２】
以上のように、本発明の撮像装置によれば、ユーザーは、好みに合った表示パターンを操作性良く選択できる。
【発明を実施するための最良の形態】
【００１３】
（実施の形態）
１．構成
１−１．背面構成
図１は、本発明の実施の形態にかかるデジタルカメラ１０の背面図である。デジタルカメラ１０は、液晶モニタ１１、表示切替釦１５、シャッタ釦１２、メニュー釦１３、カーソルキー１４を有する。
【００１４】
液晶モニタ１１は、撮像画像を表示する。また、液晶モニタ１１は、各種情報やガイドラインを撮像画像に重畳して表示する。この各種情報には、撮像画像に関する情報やデジタルカメラの動作状態を示す情報が含まれる。撮像画像に関する情報とは、例えば、ホワイトバランスに関する情報、ＩＳＯ感度に関する情報、画質情報などである。また、デジタルカメラの動作状態を示す情報とは、例えば、電池残量情報、省エネモードの動作状況を示す情報、操作音の設定に関する情報等である。また、ガイドラインは、使用者が撮像画像の構図を決定する際の補助となる表示であって、画面上に表示される直線や曲線をいう。
【００１５】
表示切替釦１５は、ユーザーによる操作を受け付ける操作手段である。ユーザーが表示切替釦１５を押下すると、液晶モニタ１１に表示される表示パターンを切り替えることができる。ここで、表示パターンとは、液晶モニタ１１に表示される情報の種類やそれらの配置をいう。また、表示パターンのうち、各種情報に関する表示パターンを情報表示パターンといい、ガイドラインに関する表示パターンをガイドライン表示パターンという。
【００１６】
シャッタ釦１２は、デジタルカメラ１０による撮像を開始させるための手段である。メニュー釦１３は、各種設定をするためのメニューを液晶モニタ１１に表示させるための釦である。カーソルキー１４は、液晶モニタ１１に表示されるカーソルを移動させるための釦である。
【００１７】
１−２．制御構成
図２に本発明の実施の形態にかかるデジタルカメラ１０の構成を示す。撮像手段１６は、被写体を撮像して画像データを生成する。撮像手段１６は、ＣＣＤイメージセンサやＣＭＯＳイメージセンサなどで構成できる。また、撮像手段１６は、Ａ／Ｄコンバータ等を含む構成としてもよい。画像処理手段１７は、撮像された画像データにホワイトバランス処理や拡大処理、間引き処理、圧縮処理等を選択的に施して、液晶モニタ１１やメモリーカード１８に出力する。また、画像処理手段１７は、メモリーカード１８に記憶された画像データを伸張処理等を施してＯＳＤコントローラ２１に出力等をする。画像処理手段１７は、マイコンやＤＳＰ等で構成できる。メモリーカード１８は、撮像手段１６で撮像された画像データやデジタルカメラ１０の外部から取得した画像データを記憶する手段である。メモリーカード１８は、デジタルカメラ１０に着脱可能であり、フラッシュメモリ等から構成するようにしてもよい。記憶手段２０は、液晶モニタ１１に表示される表示パターン等を記憶し、適宜コントローラ１９のデータを供給する。記憶手段２０は、ＤＲＡＭやＳＲＡＭ、フラッシュメモリ等の半導体メモリで構成してもよい。
【００１８】
コントローラ１９は、シャッタ釦１２、メニュー釦１３、カーソルキー１４、表示切替釦１５等の指示を受けて、液晶モニタ１１、撮像手段１６、画像処理手段１７、メモリーカード１８、記憶手段２０、ＯＳＤコントローラ２１等のデジタルカメラ１０のシステム全体を制御する。コントローラ１９は、マイコン等で構成される。
【００１９】
コントローラ１９は、画像を撮像する撮像モードと画像を再生する再生モードとを有する。撮像モード時には、コントローラ１９は、撮像手段１６で撮像された画像を液晶モニタ１１で表示するように制御する。一方、再生モード時には、メモリーカード１８に記憶された画像を液晶モニタ１１に表示するように制御する。
【００２０】
コントローラ１９は、表示切替釦１５が押下操作を受け付けるごとに、液晶モニタ１１の表示パターンを切り替えるように、制御する。
【００２１】
ＯＳＤコントローラ２１は、コントローラ１９の制御に基づいて、画像処理手段１７で処理された撮像画像又は再生画像の上にオン・スクリーン・ディスプレイ表示を重畳表示するための処理を行う。
【００２２】
ここで、液晶モニタ１１は本発明の表示手段の一例である。本発明の表示手段としては、他にも有機ＥＬモニタや無機ＥＬモニタ等も考えられる。
【００２３】
また、表示切替操作釦１５は、本発明の第１の操作手段の一例であるが、本発明の第１の操作手段は押下釦に限らず、例えばスライドスイッチや回転式のダイヤルで構成してもよい。要するに、第１の操作手段は、各種情報及びガイドラインをどのような表示パターンで前記表示手段に表示するか又は表示しないかについて使用者の指示を受け付ける操作手段であればよい。
【００２４】
また、メニュー釦１３及びカーソルキー１４は、本発明の第２の操作手段の一例であるが、本発明の第２の操作手段はこのような構成に限らず、ジョイスティックやジョグダイアルなどで構成してもよい。要するに、第２の操作手段は、ガイドラインを表示するかどうかについて、表示手段に表示する設定画面を通じて使用者の指示を受け付ける操作手段であればよい。
【００２５】
コントローラ１９及びＯＳＤコントローラ２１からなる構成は、本発明の制御手段の一例である。本発明の制御手段は、これに限らず、第１の操作手段及び第２の操作手段で受け付けた使用者の指示に応じて、各種情報及びガイドラインを選択的に表示手段に表示するよう又は表示しないよう制御する制御手段であればよい。
【００２６】
また、デジタルカメラ１０は本発明の撮像装置の一例である。本発明の撮像装置は、他にカメラ機能付き携帯電話端末、アナログカメラ、カーナビゲーションシステム等であってもよい。
【００２７】
２．動作
以上のように構成されたデジタルカメラ１０の動作について、以下、図３〜図６を用いて説明する。
【００２８】
２−１．ガイドラインの設定動作
まず、ガイドラインの設定動作について、図３を用いて説明する。ユーザーがメニュー釦１３を押下すると、コントローラ１９は、液晶モニタ１１に図３に示す設定画面を表示させる。ユーザーは、カーソルキー１４を操作することにより、設定画面内の項目のうち「ガイドライン表示」という項目Ｃ１を選択することができる。ユーザーが「ガイドライン表示」項目Ｃ１を選択すると、設定の候補として、ガイドラインを表示しないことを示すアイコンＣ２（「ＯＦＦ」と記載したアイコン）、ガイドライン表示パターン１を示すアイコンＣ３、ガイドライン表示パターン２を示すアイコンＣ４が表示される。ユーザーは、カーソルキー１４及びメニュー釦１３を操作することにより、これらのアイコンのうちいずれかを選択できる。
【００２９】
なお、本実施形態において、ガイドライン表示パターン１とは、縦２本、横２本の直線状のガイドラインを表示するパターンであり、ガイドライン表示パターン２とは、縦３本、横３本、斜め２本のガイドラインを表示するパターンをいう。しかし、本発明を採用する上ではこれらの表示パターンに限定されない。
【００３０】
２−２．情報表示パターンの切り替え
次に、情報表示パターンの切り替え動作について図４〜図６を用いて説明する。なお、情報表示パターンは、ユーザーによる表示切替釦１５の押下操作に応じて、順次切り替えられる。
【００３１】
２−２−１．ガイドライン表示ＯＦＦを選択した場合
まず、ガイドラインの設定動作において（図３参照）、ユーザーがガイドラインを表示しないことを示すアイコンＣ２を選択した場合の情報表示パターンの切り替え動作について、図４を用いて説明する。
【００３２】
図４は、撮像モードにおいて、液晶モニタ１１の表示パターンが切り替わる状況を示す模式図である。液晶モニタ１１が図４（ａ）に示す表示パターンにおいて、ユーザーが表示切替釦１５を１回だけ押下すると、コントローラ１９の制御により、図４（ｂ）に示す表示パターンに切り替わる。ユーザーがさらに１回押下すると、図４（ｃ）に示す表示パターンに切り替わり、さらに１回押下することにより図４（ｄ）に示す表示パターンに切り替わり、さらに１回押下することにより図４（ａ）に示す表示パターンに切り替わる。このように、コントローラ１９は、押下操作による表示パターンの切り替えが４回繰り返されると元の表示パターンに戻るように、制御する。つまり、表示パターンは、押下４回で１周するように循環的に切り替わるのである。
【００３３】
図４において、表示Ｄ１は、電池残量情報や画質情報などの各種の情報である。表示Ｄ２は、横軸に画像の明るさ、縦軸にその明るさの画素数を積み上げたヒストグラムである。ユーザーは、撮像した画像のヒストグラムの形状（グラフの分布）を見ることによって、その画像の露出状況を判断することができる。表示Ｄ３は、ガイドラインである。ユーザーは、被写体を縦横の交点上やライン上に配置すると、被写体の大きさや傾き、バランスを見ながら、構図を容易に決めることができる。表示Ｄ４はスルー画像である。スルー画像Ｄ４は表示Ｄ１〜Ｄ３の背景画像として表示される。ここで、スルー画像とは、撮像手段１６で撮像した画像をメモリーカード１８に記憶することなく、液晶モニタ１１に表示する画像である。撮像モード時にこのスルー画像を液晶モニタ１１に表示することにより、ユーザーは、最終的にメモリーカード１８に記憶する画像を撮像するための構図を容易に決めることができる。
【００３４】
図４（ａ）ではスルー画像Ｄ４の上に表示Ｄ１が表示された表示パターンとなり、図４（ｂ）ではスルー画像Ｄ４の上に表示Ｄ１およびヒストグラムＤ２が表示された表示パターンとなり、図４（ｃ）ではスルー画像Ｄ４の上の表示Ｄ１およびヒストグラムＤ２を消して、撮像ガイドラインＤ３が表示された表示パターンとなり、図４（ｄ）ではスルー画像Ｄ４のみが表示された表示パターンとなる。
【００３５】
また、スルー画像Ｄ４は、撮像手段１６で生成され、画像処理手段１７で所定の画像処理が施され、ＯＳＤコントローラ２１を介して出力される画像データである。これに対して、表示Ｄ１〜Ｄ３は、コントローラ１９で生成された情報をＯＳＤコントローラ２１でスルー画像Ｄ４に重畳されて出力されるオン・スクリーン・ディスプレイである。
【００３６】
２−２−２．ガイドライン表示パターン１を選択した場合
次に、ガイドラインの設定動作において（図３参照）、ユーザーがガイドライン表示パターン１を表示することを示すアイコンＣ３を選択した場合の情報表示パターンの切り替え動作について、図５を用いて説明する。
【００３７】
図５は、撮像モードにおいて、液晶モニタ１１の表示パターンが切り替わる状況を示す模式図である。液晶モニタ１１が図５（ａ）に示す表示パターンにおいて、ユーザーが表示切替釦１５を１回だけ押下すると、コントローラ１９の制御により、図５（ｂ）に示す表示パターンに切り替わる。ユーザーがさらに１回押下すると、図５（ｃ）に示す表示パターンに切り替わり、さらに１回押下することにより図５（ａ）に示す表示パターンに切り替わる。このように、コントローラ１９は、押下操作による表示パターンの切り替えが３回繰り返されると元の表示パターンに戻るように、制御する。つまり、表示パターンは、押下３回で１周するように循環的に切り替わるのである。
【００３８】
図５（ａ）ではスルー画像Ｄ４の上に表示Ｄ１及びガイドラインＤ３が表示された表示パターンとなり、図５（ｂ）ではスルー画像Ｄ４の上に表示Ｄ１、ヒストグラムＤ２及びガイドラインＤ３が表示された表示パターンとなり、図５（ｃ）ではスルー画像Ｄ４の上の表示Ｄ１およびヒストグラムＤ２を消して、撮像ガイドラインＤ３が表示された表示パターンとなる。したがって、ユーザーがガイドライン表示パターン１を表示することを示すアイコンＣ３を選択した場合、図４（ｄ）に示すようなスルー画像Ｄ４のみが表示された表示パターンは表示しない。ユーザーがガイドラインを表示することを希望してアイコンＣ３を選択しているため、ガイドラインＤ３を表示しない画面は表示しないのである。
【００３９】
このように、予めユーザーがガイドラインを表示することを希望している場合は、ガイドラインを表示する表示パターンのみを選択可能に表示するため、少ない回数（本実施例では３回）で全ての表示パターンを循環的に表示できるため、ユーザーは迅速に所望の表示パターンを選択できる。
【００４０】
２−２−３．ガイドライン表示パターン２を選択した場合
次に、ガイドラインの設定動作において（図３参照）、ユーザーがガイドライン表示パターン２を表示することを示すアイコンＣ４を選択した場合の情報表示パターンの切り替え動作について、図６を用いて説明する。
【００４１】
図６は、撮像モードにおいて、液晶モニタ１１の表示パターンが切り替わる状況を示す模式図である。図６に示す通り、ユーザーがガイドライン表示パターン２を表示することを示すアイコンＣ４を選択した場合、ユーザーがガイドライン表示パターン１を表示することを示すアイコンＣ３を選択した場合と同様に、コントローラ１９は、押下操作による表示パターンの切り替えが３回繰り返されると元の表示パターンに戻るように、制御する。また、予めユーザーがガイドラインを表示することを希望している場合は、ガイドラインを表示する表示パターンのみを選択可能に表示するため、少ない回数（本実施例では３回）で全ての表示パターンを循環的に表示できるため、ユーザーは迅速に所望の表示パターンを選択できるという点も同様である。但し、ユーザーがガイドライン表示パターン２を表示することを示すアイコンＣ４を選択した場合、ユーザーがガイドライン表示パターン１を表示することを示すアイコンＣ３を選択した場合と異なって、ガイドラインＤ５の表示パターンが異なる。ガイドラインＤ５は、ガイドラインＤ３と比べてライン数が多く、斜め線も付加されているので、撮像画像の構図をより正確に決定するのに適している。
【００４２】
このように、ガイドラインの種類を液晶モニタ１１に表示された設定画面を用いて設定可能とすることにより、複数種類のガイドラインを容易に設定することができる。
【００４３】
３．まとめ
以上のように、本実施の形態のデジタルカメラ１０は、撮像手段１６と液晶モニタ１１と表示切替釦１５とカーソルキー１４とメニュー釦１３とＯＳＤコントローラ２１とコントローラ１９とを備える。撮像手段１６は、被写体を撮像して画像データを生成する。液晶モニタ１１は、撮像手段１６で生成された画像データを表示する。表示切替釦１５は、各種情報Ｄ１、Ｄ２及びガイドラインＤ３についての表示パターンの切り替えについて使用者の指示を受け付ける。カーソルキー１４及びメニュー釦１３からなる第２の操作手段は、ガイドラインＤ３を表示するかどうかについて、液晶モニタ１１に表示する設定画面を通じて使用者の指示を受け付ける。コントローラ１９及びＯＳＤコントローラ２１からなる制御手段は、表示切替釦１５及び第２の操作手段で受け付けた使用者の指示に応じて、各種情報Ｄ１、Ｄ２及びガイドラインＤ３、Ｄ５を選択的に液晶モニタ１１に表示するよう又は表示しないよう制御する。そして、制御手段１９、２１は、第２の操作手段１３、１４がガイドラインＤ３、Ｄ５を表示しないという指示を受け付けた場合、表示切替釦１５が操作されることに応じて、ガイドラインＤ３、Ｄ５を表示しない表示パターンとガイドラインＤ３を表示する表示パターンとを少なくとも含む複数の表示パターンのうちいずれかになるよう液晶モニタ１１の表示パターンを順次切り替えるよう制御する一方、第２の操作手段１３、１４がガイドラインＤ３、Ｄ５を表示するという指示を受け付けた場合、表示切替釦１５が操作されることに応じて、ガイドラインＤ３、Ｄ５を表示する表示パターンのみを含む複数の表示パターンのうちいずれかになるよう液晶モニタ１１の表示パターンを順次切り替えるよう制御する。
【００４４】
これにより、ユーザーは、設定画面を通じてガイドライン表示を設定しないでも、表示切替釦１５を押下するだけで、ガイドラインＤ３を表示する表示パターンを容易に選択できる。また、ユーザーは、設定画面を通じてガイドライン表示を設定した場合、表示切替釦１５を押下することで切り替えられる表示パターンを、ガイドラインＤ３、Ｄ５を表示する表示パターンに限定できるので、所望の表示パターンを容易に選択できる。要するに、液晶モニタ１１の表示パターンの選択について操作性を良くすることができる。
【００４５】
また、本実施の形態のデジタルカメラ１０において、制御手段１９、２１は、複数のガイドラインのパターンＤ３、Ｄ５のうちいずれかを液晶モニタ１１に表示するよう制御可能である。そして、第２の操作手段１３、１４は、図３に示すように、複数のガイドラインのパターンＤ３、Ｄ５のうちいずれを表示するかについても、使用者の指示を受け付ける。
【００４６】
これにより、ガイドラインの表示パターンのバリエーションを広げつつ、ユーザーは、簡単な操作で複数のガイドラインの表示パターンから好みのパターンを容易に選択できる。したがって、液晶モニタ１１の表示パターンの選択について操作性を良くすることができる。
【００４７】
また、本実施の形態のデジタルカメラ１０において、制御手段１９、２１は、表示切替釦１５が操作されることに応じて液晶モニタ１１の表示パターンを順次切り替える。そして、制御手段１９、２１は、第２の操作手段１３、１４がガイドラインＤ３、Ｄ５を表示しないという指示を受け付けた場合、表示切替釦１５が４回操作されることによっての表示パターンが元の表示パターンに戻るよう制御する。一方、制御手段１９、２１は、第２の操作手段１３、１４がガイドラインＤ３又はガイドラインＤ５を表示するという指示を受け付けた場合、表示切替釦１５が３回操作されることによって液晶モニタ１１の表示パターンが元の表示パターンに戻るよう制御する。
【００４８】
これにより、予めユーザーがガイドラインを表示することを希望している場合は、ガイドラインを表示する表示パターンのみを選択可能に表示するため、少ない回数（本実施例では３回）で全ての表示パターンを循環的に表示できる。そのため、ユーザーは迅速に所望の表示パターンを選択できる。したがって、液晶モニタ１１の表示パターンの選択について操作性を良くすることができる。
【００４９】
なお、本実施の形態では、撮像モードにおいて、ガイドラインＤ３、Ｄ５を表示する場合を例示したが、これには限らない。例えば、再生モードにおいて、再生画像にガイドラインＤ３、Ｄ５を重畳させる場合に、本発明を適用してもよい。このようにすることにより、ユーザーは、簡単な操作で再生画像の構図を確認することができる。
【００５０】
また、本発明において、表示手段が撮像手段で生成された画像データを表示するとは、撮像手段１６で生成された画像データをそのまま表示する場合の他、画像処理手段１７やＯＳＤコントローラ２１などの撮像手段１６以外の構成により撮像手段１６で生成された画像データに対して所定の処理が施された画像データを表示する場合も含む概念である。
【産業上の利用可能性】
【００５１】
本発明の撮像装置は、表示に関して操作性に優れているため、デジタルカメラのほかに、携帯電話端末やカメラ機能付き携帯電話端末、アナログカメラ等にも適用できる。
【図面の簡単な説明】
【００５２】
【図１】本発明の実施の形態のデジタルカメラ１０の背面図
【図２】本発明の実施の形態のデジタルカメラ１０の構成を示すブロック図
【図３】本発明の実施の形態のデジタルカメラ１０のガイドライン表示の設定画面を示す模式図
【図４】本発明の実施の形態のデジタルカメラ１０のガイドライン表示ＯＦＦを選択した場合の表示パターンの切り替え状況を示す模式図
【図５】本発明の実施の形態のデジタルカメラ１０のガイドライン表示パターン１を選択した場合の表示パターンの切り替え状況を示す模式図
【図６】本発明の実施の形態のデジタルカメラ１０のガイドライン表示パターン２を選択した場合の表示パターンの切り替え状況を示す模式図
【符号の説明】
【００５３】
１０    デジタルカメラ
１１    液晶モニタ
１３    メニュー釦
１４    カーソルキー
１５    表示切替釦
１６    撮像手段
１９    コントローラ
２１    ＯＳＤコントローラ
【図１】
2008053890.tif 000003
【図２】
2008053890.tif 000004
【図３】
2008053890.tif 000005
【図４】
2008053890.tif 000006
【図５】
2008053890.tif 000007
【図６】
2008053890.tif 000008